(57)【要約】【課題】コネクタの大型化を回避した上で、レバーを支持する支持壁の変形を防止する。【解決手段】コネクタは、フード部１２及びブラケットに対するロック部２２を有する雄ハウジング１０と、フード部１２内に移動可能に組み込まれるムービングプレート７０と、雄ハウジング１０の外面に突成された支軸２９に回動可能に取り付けられるレバー５０とを備える。雄ハウジング１０における支軸２９の内側には、ロック部２２の成形に伴って型抜き孔３１が形成され、支軸２９と型抜き孔３１との間には、支軸２９を支持する支持壁３２が形成されている。ムービングプレート７０には、型抜き孔３１に挿入されて支持壁３２の内側に配置される突片７８が形成されている。【選択図】図１
2011124018.tif 000002
【特許請求の範囲】
【請求項１】
雄端子金具が突出して配置される筒状のフード部を有するとともに、取付対象に係止されるロック部を有する雄ハウジングと、
前記フード部内に移動可能に組み込まれ、前記雄端子金具の先端部を位置決めして挿入させる挿入孔が開口されたプレート本体を有し、前記雄ハウジングが相手側の雌ハウジングとの嵌合を進めるに従い、前記プレート本体が前記フード部の奥側へ移動して、前記雄端子金具の前記挿入孔からの突出量を増加させるムービングプレートと、
前記雄ハウジングの外面に突成された支軸に取り付けられ、前記雌ハウジングと係合した状態で前記支軸を中心として回動されることにより、前記雌ハウジングとの間にカム作用を発揮して、前記両ハウジングを正規嵌合状態に至らすレバーとを備え、
前記雄ハウジングにおける前記支軸の内側には、前記ロック部の成形に伴って型抜き孔が形成され、前記支軸と前記型抜き孔との間には、前記支軸を支持する支持壁が形成され、
前記ムービングプレートには、前記型抜き孔に挿入されて前記支持壁の内側に配置される突片が形成されていることを特徴とするコネクタ。
【請求項２】
前記突片の外面と前記型抜き孔の内面のいずれか一方には凸部が形成され、他方には凹部が形成されており、前記凹部と前記凸部が、前記突片と前記支持壁の並び方向で互いに対向しつつ嵌合されることを特徴とする請求項１記載のコネクタ。
【請求項３】
前記雄ハウジングの外面には窓部が開口して形成され、前記両ハウジングの正規嵌合時に、前記突片の先端が前記窓部を通して視認可能とされることを特徴とする請求項１又は２記載のコネクタ。
【発明の詳細な説明】
【技術分野】
【０００１】
本発明は、コネクタに関する。
【背景技術】
【０００２】
従来のコネクタが特許文献１に開示されている。このものは、雄ハウジングと、雄ハウジングに回動可能に装着されるレバーとを備えている。雄ハウジングは四角筒状のフード部を有している。フード部内には、雄端子金具が突出して配置され、かつ、ムービングプレートが初期位置と嵌合位置との間を移動可能に組み込まれている。ムービングプレートは、雄端子金具の先端部を位置決めして挿入可能な挿入孔が開口されたプレート本体を有している。初期位置では、プレート本体がフード部の開口側に位置することで雄端子金具の挿入孔からの突出量が抑えられ、嵌合位置では、プレート本体がフード部の奥側に位置することで雄端子金具の挿入孔からの突出量が増加するようになっている。
【０００３】
雄ハウジングの左右の側面には、一対の支軸が突出して形成されている。レバーは、両支軸を中心として回動可能とされている。また、雄ハウジングの下面には、取付対象となるブラケットに係止されるロック部が形成されている。
【先行技術文献】
【特許文献】
【０００４】
【特許文献１】特開２００２−３５２９０７号公報
【発明の概要】
【発明が解決しようとする課題】
【０００５】
ところで、上記従来のコネクタにおいて、事情に応じて、ロック部の形成位置を、支軸の形成面となる雄ハウジングの側面に変更しなければならないことがある。その場合、雄ハウジングの側面にロック部のみが突出して形成されると、コネクタが大型になってしまうため、ロック部を雄ハウジングの側面の最外位置よりも内側へ引っ込めた位置で形成することが望まれる。しかし、かかる構成にすると、ロック部を成形する際に使用する金型の引き抜きに起因する型抜き孔が雄ハウジング内に余儀なく形成されてしまい、さらに、この型抜き孔が支軸の内側に形成されることもある。このため、支軸と型抜き孔の間に位置して支軸を支持する支持壁の厚みが薄くなり、レバーの回動に伴って両ハウジングの嵌合力が大きくなる等したときに、支持壁が変形するおそれがある。
【０００６】
本発明は上記のような事情に基づいて完成されたものであって、コネクタの大型化を回避した上で、レバーを支持する支持壁の変形を防止することを目的とする。
【課題を解決するための手段】
【０００７】
上記の目的を達成するための手段として、請求項１の発明は、雄端子金具が突出して配置される筒状のフード部を有するとともに、取付対象に係止されるロック部を有する雄ハウジングと、前記フード部内に移動可能に組み込まれ、前記雄端子金具の先端部を位置決めして挿入させる挿入孔が開口されたプレート本体を有し、前記雄ハウジングが相手側の雌ハウジングとの嵌合を進めるに従い、前記プレート本体が前記フード部の奥側へ移動して、前記雄端子金具の前記挿入孔からの突出量を増加させるムービングプレートと、前記雄ハウジングの外面に突成された支軸に取り付けられ、前記雌ハウジングと係合した状態で前記支軸を中心として回動されることにより、前記雌ハウジングとの間にカム作用を発揮して、前記両ハウジングを正規嵌合状態に至らすレバーとを備え、前記雄ハウジングにおける前記支軸の内側には、前記ロック部の成形に伴って型抜き孔が形成され、前記支軸と前記型抜き孔との間には、前記支軸を支持する支持壁が形成され、前記ムービングプレートには、前記型抜き孔に挿入されて前記支持壁の内側に配置される突片が形成されているところに特徴を有する。
【０００８】
請求項２の発明は、請求項１に記載のものにおいて、前記突片の外面と前記型抜き孔の内面のいずれか一方には凸部が形成され、他方には凹部が形成されており、前記凹部と前記凸部が、前記突片と前記支持壁の並び方向で互いに対向しつつ嵌合されるところに特徴を有する。
【０００９】
請求項３の発明は、請求項１又は２に記載のものにおいて、前記雄ハウジングの外面には窓部が開口して形成され、前記両ハウジングの正規嵌合時に、前記突片の先端が前記窓部を通して視認可能とされるところに特徴を有する。
【発明の効果】
【００１０】
＜請求項１の発明＞
雄ハウジングにおける支軸の内側には、ロック部の成形に伴って型抜き孔が形成されるから、雄ハウジングの外側にロック部のみが突出することがなく、コネクタの大型化が回避される。一方、支軸と型抜き孔との間に支持壁が形成されるため、支持壁の厚みが薄くなり勝ちであり、支持壁にレバーが取り付けられることもあって、支持壁が変形し易いという事情がある。しかるに本発明によれば、フード部内に組み込まれるムービングプレートに突片が形成され、突片が型抜き孔に挿入されて支持壁の内側に配置されるから、突片の補強によって支持壁の変形が防止される。
【００１１】
＜請求項２の発明＞
凹部と凸部が突片と支持壁の並び方向で互いに対向しつつ嵌合されるから、突片が支持壁側へ倒れるのが阻止される。その結果、突片の倒れ込みに起因する支持壁の変形が防止される。
【００１２】
＜請求項３の発明＞
両ハウジングの正規嵌合時に、窓部を通して突片の先端位置を視認することにより、突片及びムービングプレートが正規位置に至っているのか否かを検知できる。
【図面の簡単な説明】
【００１３】
【図１】本発明の実施形態１に係る雄コネクタの一部破断した正面図である。
【図２】ムービングプレートが初期位置にあるときのコネクタの横断面図である。
【図３】ムービングプレートが嵌合位置にあるときのコネクタの横断面図である。
【図４】嵌合前の両コネクタの縦断面図である。
【図５】正規嵌合された両コネクタの縦断面図である。
【図６】ムービングプレートの背面図である。
【図７】ムービングプレートの側面図である。
【図８】ムービングプレートの平面図である。
【図９】雄コネクタの縦断面図である。
【図１０】雄コネクタの側面図である。
【図１１】ムービングプレートが組み付けられる前の雄コネクタの正面図である。
【図１２】ムービングプレートが組み付けられた後の雄コネクタの正面図である。
【発明を実施するための形態】
【００１４】
＜実施形態１＞
本発明の実施形態１を図１ないし図１２によって説明する。実施形態１に係るコネクタは、いわゆる雄コネクタであって、雄端子金具９０、雄ハウジング１０、レバー５０、及びムービングプレート７０を備えて構成されている。雄ハウジング１０は相手側の雌コネクタに備わる雌ハウジング１００に嵌合可能とされている。なお、以下の説明において、前後方向については両ハウジング１０、１００の互いの嵌合面側を前方とする。
【００１５】
雌ハウジング１００は合成樹脂製であって、全体として高さ方向に長い角枠状の雌ハウジング本体１０１を有している。雌ハウジング本体１０１には、図４に示すように、複数の雌ハウジング収容凹部１０２が高さ方向に並んで形成されている。各雌ハウジング収容凹部１０２間は、高さ方向に複数の隔壁１０３によって仕切られている。そして、各雌ハウジング収容凹部１０２内には、それぞれ雌サブハウジング１１０が挿入されるようになっている。雌サブハウジング１１０は、やや扁平な角ブロック状をなし、その内部に、雌端子金具１２０が収容されている。雌端子金具１２０は導電金属製であって電線１３０の端末に接続され、筒状の箱部１２１を有している。雌ハウジング本体１０１の両側外面（長辺側の外面）の高さ方向中央部には、左右一対のカムピン１０５が突出して形成されている。
【００１６】
雄ハウジング１０は合成樹脂製であって全体として高さ方向に長い形状とされ、角枠状の雄ハウジング本体１１と、雄ハウジング本体１１の前端に連なる角筒状のフード部１２とを有している。雄ハウジング本体１１には、複数の雄ハウジング収容凹部１３が高さ方向に並んで形成されている。各雄ハウジング収容凹部１３間は、高さ方向に複数の隔壁１４によって仕切られている。各雄ハウジング収容凹部１３内には、それぞれ雄サブハウジング１５が挿入されるようになっている。雄サブハウジング１５は、やや扁平な角ブロック状をなし、その内部に、雄端子金具９０を収容可能なキャビティ１６が形成されている。雄端子金具９０は導電金属製であって電線１５０の端末に接続され、雄サブハウジング１５内に収容される筒状の端子本体９１と、端子本体９１の前端から前方へ突出する棒状の雄タブ９２とを有する。雄タブ９２はフード部１２内に突出して配置されている。
【００１７】
雄ハウジング本体１１の上面の後端部には、門型板状のレバーロック受け部１７が形成されている。レバーロック受け部１７は、左右一対の脚部１８と、両脚部１８間に架橋された天井部１９とからなる。両脚部１８の前縁は、後方へ向けてテーパ状に傾く斜面２０とされている。天井部１９の内側面には、後述するレバーロック突起５７と係止可能なリブ状のレバーロック受け突起２１が形成されている。
【００１８】
雄ハウジング本体１１の両側外面（長辺側の外面）の高さ方向中央部は、図１０に示すように、高さ方向両端部よりも一段落ちて配置され、ここに、取付対象となるブラケット（図示せず）に係止可能な左右一対のロック部２２が形成されている。ロック部２２は、ブラケットが挿入可能な挿入空間を有する扁平枠状のカセット部２３を有する。カセット部２３は、上下一対のレール部２４と、両レール部２４間に架橋された梁部２５とからなる。図２に示すように、梁部２５の前端からはロック本体部２６が後方へ突出して形成されている。ロック本体部２６の先端側には、ロック爪２７が挿入空間側（内側）へ突出して形成されている。カセット部２３の挿入空間に後方から挿入されたブラケットは、レール部２４に沿って前方へスライドさせられ、正規の装着位置に至るに伴い、ロック爪２７に弾性的に引っ掛け係止される。これにより、雄ハウジング１０がブラケットに固定される。なお、ロック部２２の外面はほぼ凹凸なく連続する垂直面とされている。
【００１９】
フード部１２は、雄ハウジング本体１１の前端に段差２８を介することによって雄ハウジング本体１１よりも一回り大きくされている。フード部１２の両側壁（長辺側の壁）の外面は、ほぼ凹凸なく連続する垂直面とされ、その後端部（奥端部）の高さ方向中央部に、左右一対の支軸２９が突出して形成されている。両支軸２９は、円柱状をなし、その先端部に抜け止め片３０が周方向に張り出して形成されている。そして、両支軸２９の内側には、ロック部２２のロック爪２７を成形する際に使用する金型の引き抜き跡となる左右一対の型抜き孔３１が形成されている。型抜き孔３１は、高さ方向に細長い形状とされ、段差２８を貫通するとともに、フード部１２の内側面を溝状に切り欠くようにして、前後方向に延びる形態とされている。フード部１２の両側壁のうち、型抜き孔３１と両支軸２９との間に挟まれる部分は、型抜き孔３１によって上下領域よりも薄肉となる支持壁３２とされている。
【００２０】
図１０及び図１１に示すように、支持壁３２には、型抜き孔３１と重なり合う位置に、左右一対の導入溝３３が切り欠いて形成されている。導入溝３３は、前後方向に延びるとともに、フード部１２の前縁に開口する形態とされ、ここに、相手側のカムピン１０５及び後述するムービングプレート７０のカムフォロア７７が前方から挿入されるようになっている。なお、支軸２９は、導入溝３３の後縁の直後方に位置している。
【００２１】
フード部１２の内側面には、ムービングプレート７０を案内可能な複数のアリ溝３４が前後方向に延びるとともに周方向に間隔をあけて形成されている。また、フード部１２の両側壁の前端縁には、レバー５０を当て止め可能な左右一対の当て止め片３５が幅方向に張り出して形成されている。
【００２２】
レバー５０は合成樹脂製であって、全体として門型板状をなし、幅方向に延びる操作部５１と、操作部５１の両端から互いに略平行に突出する左右一対のアーム部５２とからなる。アーム部５２には、支軸２９を受ける軸孔５３が貫通して形成されている。また、アーム部５２の内側面には、図９に示すように、有底のカム溝５４が所定方向に延出して形成されている。
【００２３】
操作部５１の幅方向中央部には、レバーロック部５５が形成されている。レバーロック部５５は、操作部５１の後縁に開口する凹所５６内に撓み可能に配置され、その後縁から前方へ向けて折り返し状に延びる形態とされている。レバーロック部５５の上面には、リブ状のレバーロック突起５７が形成されている。また、レバーロック部５５の上面前端には、起立片５８が立ち上げ形成されている。操作部５１における起立片５８の後方には、後方へ向かって上り勾配となるテーパ状の操作面５９が全幅に亘って形成されている。
【００２４】
また、操作部５１の幅方向中央部の上端には、凹所５６と連続する切欠部６０が形成されている。起立片５８の上端部は、切欠部６０内に臨むように配置され、正面視によって視認可能とされている。一方、起立片５８を挟む両側には、操作部５１の幅方向両端部が位置しているため、側面視によって起立片５８を視認することはできない。また、起立片５８の上端は操作部５１の上端とほぼ同じかそれよりも低い位置に配置されており、起立片５８を含むレバーロック部５５の全体が凹所５６内に収容されている。
【００２５】
かかるレバー５０は、軸孔５３に支軸２９を嵌入させた状態で、支軸２９を中心として回動初期位置と回動完了位置との間を回動可能とされている。このとき、アーム部５２の外面が抜け止め片３０に当接することにより、レバー５０が雄ハウジング１０から抜け止めされるようになっている。回動初期位置では、操作部５１がフード部１２の前端部上方に配置されるとともに、カム溝５４の入り口が導入溝３３と重なりかつ前方に開口して配置される。また、回動初期位置では、アーム部５２の前端が当て止め片３５に当接することで、レバー５０のフード部１２よりも前方への回動操作が規制される。この状態で、フード部１２内に雌ハウジング１００を浅く嵌合すると、カムピン１０５が導入溝３３及びカム溝５４の入り口に進入する。
【００２６】
回動初期位置から回動完了位置へは、操作部５１の操作面５９を押圧することにより、操作力をレバー５０に効率よく伝達することが可能となる。この場合、操作部５１に操作面５９がテーパ状に切り欠いて形成されているという事情があるものの、起立片５８の全体が操作部５１の凹所５６内に収容されているため、作業者の指が起立片５８に触れることがなく、起立片５８への不用意な干渉が回避される。また、操作面５９が切り欠かれることによって操作部５１の大型化が回避される。さらに、回動途中では、カムピン１０５がカムフォロア７７と合体した状態でカム溝５４の溝面を摺動することにより、レバー５０と雌ハウジング１００との間にカム作用が発揮され、両ハウジング１０、１００の嵌合動作が進行する。
【００２７】
回動完了位置では、図５に示すように、操作部５１の凹所５６内にレバーロック受け部１７が嵌合されるとともに、起立片５８の後面が天井部１９の前端に当接可能に配置され、かつレバーロック受け部１７の斜面２０が凹所５６の内側面に沿って当接可能に配置される。また、回動完了位置では、レバーロック突起５７がレバーロック受け突起２１を弾性的に係止し、これによってレバー５０が回動規制状態に保持される。そして回動完了位置では、両ハウジング１０、１００が正規嵌合状態に保持され、雄タブ９２が雌端子金具１２０の箱部１２１内に正規深さで挿入されて、両端子金具９０、１２０同士の導通がとられる。
【００２８】
ムービングプレート７０は合成樹脂製であって全体として高さ方向に長いキャップ状をなし、フード部１２内に組み込まれる。詳しくはムービングプレート７０は、図６ないし図８に示すように、フード部１２内を覆う平板状のプレート本体７１と、プレート本体７１の周縁から前方へ突出する角筒状のプレートガイド部７２とを有している。そして、ムービングプレート７０は、プレート本体７１がフード部１２の開口側（前方）に位置する嵌合初期位置（図４を参照）と、プレート本体７１がフード部１２の奥側（後方）に位置する嵌合完了位置（図５を参照）との間を前後方向に移動可能とされている。プレート本体７１には、雄タブ９２の先端部を位置決め状態で挿入可能な複数の挿入孔７３が整列して形成されている。プレート本体７１の前面には、雌ハウジング１００の各隔壁１０３と対応する位置毎に、高さ方向に複数の仕切り壁７４が形成されている（図１２を参照）。仕切り壁７４は、両ハウジング１０、１００の嵌合時に、隔壁１０３と前後方向で連続して、雌サブハウジング１１０の前端部を下方から支持可能とされている。
【００２９】
プレートガイド部７２は、フード部１２の内側面を摺動可能とされている。プレートガイド部７２の外周面には、複数のアリ部７５が前後方向に延びるとともに周方向に間隔をあけて形成されている。アリ部７５がアリ溝３４に嵌合して摺動することにより、フード部１２内におけるムービングプレート７０の移動動作をスムーズに行うことが可能となっている。
【００３０】
プレートガイド部７２の両側壁（長辺側の壁）の高さ方向中央部には、左右一対の嵌合溝７６が前後方向に延びるとともに前端に開口して形成されている。嵌合溝７６は、ムービングプレート７０の組付時に導入溝３３と連通して、雌ハウジング１００のカムピン１０５を受け入れ可能とされている。そして、プレートガイド部７２の両側壁の外面には、門型のカムフォロア７７が導入溝３３に跨りつつ突出して形成されている。カムフォロア７７は、ムービングプレート７０の組付時に、その内側にカムピン１０５を被包した状態で、カムピン１０５ともどもレバー５０のカム溝５４に進入して係合可能とされている。
【００３１】
さて、プレートガイド部７２の両側壁には、左右一対の突片７８がカムフォロア７７の直後方位置から後方へ突出して形成されている。突片７８は、側面視略矩形の平板状をなし、ムービングプレート７０の組付時に、雄ハウジング１０の型抜き孔３１に嵌合して挿入されるようになっている。また、突片７８は、ムービングプレート７０の組付時に、支持壁３２の内側に配置され、その外面を支持壁３２の内面に対面させることで、支持壁３２との間に幅方向（厚み方向）で二重板構造を構成している。
【００３２】
突片７８の上下両縁には、三角溝状の凹部７９が全長に亘って切り欠いて形成されている。ここで、雄ハウジング本体１１における両型抜き孔３１の内側面の上下両縁には、図１に示すように、凹部７９と嵌合可能な断面三角形状の凸部３９が突出して形成されている。凸部３９の外側面と凹部７９の内側面は幅方向で互いに対面して配置され、これにより、雌ハウジング１００に対する突片７８の幅方向への遊動が規制される。この場合、凹部７９の内側面と凸部３９の外側面には高さ方向に沿った対向面８０が形成され、両対向面８０が互いに当たり合うことにより、突片７８の支持壁３２側への倒れ込みが規制される。そして、凹部７９の他の一面は斜面８５とされ、これにより、凹部７９が突片７８の厚み範囲で形成されるという事情があっても、突片７８の上下両縁の剛性を確保できるようになっている。
【００３３】
本実施形態に係るコネクタの構造は上述の通りであり、続いて、コネクタの組付動作及び作用効果について説明する。
レバー５０を回動初期位置に留め置き、雄ハウジング１０のフード部１２内にムービングプレート７０を嵌合初期位置に組み付ける（図４を参照）。嵌合初期位置では、雄タブ９２の先端部が挿入孔７３を貫通してプレート本体７１の前方に少し突出する。このとき、突片７８の先端部が、雄ハウジング本体１１の型抜き孔３１の入り口を臨むように配置され、支軸２９の内側には、突片７８が位置している（図２を参照）。続いて、フード部１２内に雌ハウジング１００を浅く嵌合させ、その状態でレバー５０を回動完了位置へ向けて図示反時計周りに回動させる。すると、カムピン１０５とカムフォロア７７が合体した状態でカム溝５４の溝面を摺動し、レバー５０の回動動作に連動して、ムービングプレート７０が嵌合完了位置側へ後退して、雄タブ９２のプレート本体７１からの突出量が徐々に増加する。また、両ハウジング１０、１００の嵌合深さが増加するに従って、突片７８の型抜き孔３１への挿入深さも増加する。さらに、凹部７９に凸部３９が挿入嵌合されることで、突片７８が位置決め状態に案内される。
【００３４】
レバー５０が回動完了位置に至ると、ムービングプレート７０も嵌合完了位置に至って、両ハウジング１０、１００が正規嵌合状態となる（図５を参照）。このとき、プレート本体７１が両ハウジング１０、１００間に厚み方向に挟持させられ、突片７８の先端が型抜き孔３１の奥端側に到達する。ここで、雄ハウジング本体１１の両側外面には、段差２８とカセット部２３との間に、窓部４０が開口して形成されており、この窓部４０によって型抜き孔３１の奥端部が構成されている。これにより、両ハウジング１０、１００の嵌合前は、突片７８が窓部４０から退避して配置されることで外部から視認不能とされるが、両ハウジング１０、１００が正規嵌合状態に至った状態では、突片７８の先端部が窓部４０に進入して外部から視認可能となっている（図３を参照）。
【００３５】
上記の場合に、ムービングプレート７０がフード部１２内に組み付けられると、嵌合初期位置と嵌合完了位置のいずれにおいても、支持壁３２の内側に突片７８が当接可能に配置される。このため、型抜き孔３１の成形に起因して、薄肉の支持壁３２が余儀なく形成されるという事情があっても、突片７８によって支持壁３２の補強がなされる。このため、支持壁３２の変形が防止される。また、雄ハウジング１０に型抜き孔３１を形成することでロック部２２のロック爪２７を成形しているため、雄ハウジング１０の外面にロック部２２を単に突成する場合と違って、雄ハウジング１０が大型になるのを回避できる。
【００３６】
また、凹部７９と凸部３９が突片７８と支持壁３２の並び方向で互いに対向しつつ嵌合されるから、突片７８が支持壁３２側へ倒れるのが阻止される。その結果、突片７８の倒れ込みに起因する支持壁３２の変形も防止される。
さらに、両ハウジング１０、１００の正規嵌合時に、窓部４０を通して突片７８の先端位置を視認することにより、突片７８ひいてはムービングプレート７０が正規位置に至っているのか否かを検知することができる。
【００３７】
＜他の実施形態＞
本発明は上記記述及び図面によって説明した実施形態に限定されるものではなく、例えば次のような実施形態も本発明の技術的範囲に含まれる。
（１）凸部が突片の外面に形成され、凹部が型抜き孔の内面に形成されるものであってもよい。また、凸部及び凹部の形状は任意である。場合によっては、凸部及び凹部を省略しても構わない。
（２）ムービングプレートは、カムフォロアを有さず、レバーの回動動作に連動しないものであってもよい。
【符号の説明】
【００３８】
１０…雄ハウジング
１２…フード部
２２…ロック部
２９…支軸
３１…型抜き孔
３２…支持壁
３９…凸部
４０…窓部
５０…レバー
７０…ムービングプレート
７１…プレート本体
７３…挿入孔
７８…突片
７９…凹部
９０…雄端子金具
９２…雄タブ
１００…雌ハウジング
【図１】
2011124018.tif 000003
【図２】
2011124018.tif 000004
【図３】
2011124018.tif 000005
【図４】
2011124018.tif 000006
【図５】
2011124018.tif 000007
【図６】
2011124018.tif 000008
【図７】
2011124018.tif 000009
【図８】
2011124018.tif 000010
【図９】
2011124018.tif 000011
【図１０】
2011124018.tif 000012
【図１１】
2011124018.tif 000013
【図１２】
2011124018.tif 000014